(57)【要約】【課題】記録媒体を搬送するタイミングを同じにすることを目的とする。【解決手段】複数の色を用いる画像形成、及び単色を用いる画像形成を行う画像形成であって、感光体と、前記感光体に照射する光の光源と、前記光源の点灯を制御するための信号である制御信号に基づいて前記光源の点灯を制御する制御手段を有する画像形成装置で、予め定められた色である第１の色に対応する前記制御信号、及び第１の色以外の色である第２の色の前記制御信号を生成し、前記複数の色を用いる画像形成、及び前記第１の色以外の色である第２の色を単色で用いる画像形成を行う場合、前記第１の色に対応する制御信号に基づいたタイミングで記録媒体を搬送することにより上記課題を解決する。【選択図】図１４
2019130921.tif 000002
【特許請求の範囲】
【請求項１】
複数の色を用いる画像形成、及び単色を用いる画像形成を行う画像形成装置であって、
感光体と、
前記感光体に照射する光の光源と、
前記光源の点灯を制御するための信号である制御信号に基づいて前記光源の点灯を制御する制御手段と、
予め定められた色である第１の色に対応する前記制御信号を生成する信号生成手段と、
前記複数の色を用いる画像形成、及び前記第１の色以外の色である第２の色を単色で用いる画像形成を行う場合、前記第１の色に対応する制御信号に基づいたタイミングで記録媒体を搬送する搬送手段と、を有する画像形成装置。
【請求項２】
前記第１の色は、ブラックである請求項１に記載の画像形成装置。
【請求項３】
前記制御信号は、記録媒体の搬送方向である副走査方向について制御を行うための信号である請求項１又は２に記載の画像形成装置。
【請求項４】
前記搬送手段は、
イエロー、マゼンタ、シアン、及びブラック以外の色で画像形成を行う場合、
前記第１の色に対応する制御信号に基づいて搬送を行う請求項１乃至３のいずれかに記載の画像形成装置。
【請求項５】
前記制御手段は、
前記第２の色を単色で用いる画像形成を行う場合、かつ、前記感光体を前記光源の光が走査する際、
前記第１の色の前記光源にバイアス電流より小さい電流を流す請求項１乃至４のいずれかに記載の画像形成装置。
【請求項６】
前記制御手段は、
同期検出信号の検出を行う際、
画像形成を行う場合の電流で前記第１の色に対応する前記光源を点灯させる制御を行う請求項５に記載の画像形成装置。
【請求項７】
複数の色を用いる画像形成、及び単色を用いる画像形成を行う画像形成装置に行わせる画像形成方法であって、
前記画像形成装置は、
感光体と、
前記感光体に照射する光の光源と、
前記光源の点灯を制御するための信号である制御信号に基づいて前記光源の点灯を制御する制御手段と、を有し、
前記画像形成装置に、
予め定められた色である第１の色に対応する前記制御信号を生成させる信号生成手順と、
前記複数の色を用いる画像形成、及び前記第１の色以外の色である第２の色を単色で用いる画像形成を行う場合、前記第１の色に対応する制御信号に基づいたタイミングで記録媒体を搬送させる搬送手順と、を行わせる画像形成方法。
【発明の詳細な説明】
【技術分野】
【０００１】
本発明は、画像形成装置、及び画像形成方法に関する。
【背景技術】
【０００２】
従来、光源からの光を偏向し、偏向された光を検知し、検知の結果を用いて画像形成を行う方法が知られている（例えば、特許文献１参照）。
【０００３】
また、全色モード、及び減色モードで各モードで使用される色のタイミング信号をビーム光の走査開始信号に基づいてモードごとに生成する方法が知られている（例えば、特許文献２参照）。
【発明の概要】
【発明が解決しようとする課題】
【０００４】
しかしながら、従来方法では、予め設定する色に基づいて信号を生成しないため、色のモードが変更された等の場合、記録媒体の搬送のタイミングを調整する必要がある場合があった。
【０００５】
本発明の１つの側面は、記録媒体を搬送するタイミングを同じにすることを目的とする。
【課題を解決するための手段】
【０００６】
一態様における、複数の色を用いる画像形成、及び単色を用いる画像形成を行う画像形成装置であって、感光体と、前記感光体に照射する光の光源と、前記光源の点灯を制御するための信号である制御信号に基づいて前記光源の点灯を制御する制御手段と、予め定められた色である第１の色に対応する前記制御信号を生成する信号生成手段と、前記複数の色を用いる画像形成、及び前記第１の色以外の色である第２の色を単色で用いる画像形成を行う場合、前記第１の色に対応する制御信号に基づいたタイミングで記録媒体を搬送する搬送手段と、を有することを特徴とする。
【発明の効果】
【０００７】
記録媒体を搬送するタイミングを同じにすることができる。
【図面の簡単な説明】
【０００８】
【図１】本発明の一実施形態に係る画像形成装置の全体構成の一例を説明する概要図である。
【図２】本発明の一実施形態に係る作像装置の構成の一例を説明する概要図である。
【図３】本発明の一実施形態に係る光ビーム走査装置の構成の一例を説明する概要図である。
【図４】本発明の一実施形態に係る画像形成制御部、及び光ビーム走査装置の構成の一例を説明する機能ブロック図である。
【図５】本発明の一実施形態に係るＶＣＯクロック生成部の一例を説明する機能ブロック図である。
【図６】本発明の一実施形態に係る同期検出用点灯制御部の出力信号のタイミングの一例を説明するタイミングチャートである。
【図７】本発明の一実施形態に係る書出開始位置制御部の一例を説明する機能ブロック図である。
【図８】本発明の一実施形態に係る書出開始位置制御部による主走査方向の制御の一例を説明するタイミングチャートである。
【図９】本発明の一実施形態に係る書出開始位置制御部による副走査方向の制御の一例を説明するタイミングチャートである。
【図１０】本発明の一実施形態に係る画像信号の取り込みを実現するための構成の一例を説明する機能ブロック図である。
【図１１】本発明の一実施形態に係るＬＤ制御部による光源の点灯、及び消灯の制御の一例を説明するタイミングチャートである。
【図１２】本発明の一実施形態に係る５色のカラーの画像形成の場合の副走査制御信号のタイミングの一例を説明するタイミングチャートである。
【図１３】本発明の一実施形態に係るモノクロの画像形成の場合の副走査制御信号のタイミングの一例を説明するタイミングチャートである。
【図１４】本発明の一実施形態に係るホワイトの画像形成の場合の副走査制御信号のタイミングの一例を説明するタイミングチャートである。
【図１５】本発明の一実施形態に係る全体処理の一例を説明するフローチャートである。
【発明を実施するための形態】
【０００９】
以下、本発明の実施の形態について説明する。
【００１０】
＜第１実施形態＞
＜画像形成装置の概略構成＞
図１は、本発明の一実施形態に係る画像形成装置の全体構成の一例を説明する概要図である。
【００１１】
画像形成装置１００は、例えばカラー画像形成でタンデム方式と称される二次転写機構を有する電子写真方式の画像形成装置である。以下、画像形成装置１００を例に説明する。
【００１２】
画像形成装置１００は、中間転写ユニット（図示せず）を有する。中間転写ユニットは、無端ベルトの中間転写ベルト１０を有する。中間転写ベルト１０は、３つの支持ローラ１４乃至１６に掛けられ、図１の場合、時計回りに回転する。
【００１３】
中間転写体クリーニングユニット１７は、作像プロセスが行われた後、中間転写ベルト１０の上に残留するトナーを除去する。
【００１４】
作像装置２０は、クリーニングユニット１３と、帯電ユニット１８と、除電ユニット１９と、現像ユニット２９と、感光体ユニット４０と、を有する。
【００１５】
画像形成装置１００は、図１の場合、イエロー（Ｙ）、マゼンタ（Ｍ）、シアン（Ｃ）、及びブラック（Ｋ）の各色（以下、適宜括弧内に示した記号で色を表す場合がある）に対応して別々の作像装置２０を有する。
【００１６】
作像装置２０は、第１の支持ローラ１４と第２の支持ローラ１５の間に設置される。各色の作像装置２０は、中間転写ベルト１０の搬送方向に、イエロー（Ｙ）、マゼンタ（Ｍ）、シアン（Ｃ）、及びブラック（Ｋ）の順で設置されている。
【００１７】
作像装置２０は、画像形成装置１００に対して脱着が可能である。作像装置２０の詳細は、後述する。
【００１８】
光ビーム走査装置２１は、各色の感光体ユニット４０の感光体ドラムに画像形成のための光ビームを照射する。
【００１９】
二次転写ユニット２２は、２つのローラ２３と、二次転写ベルト２４と、を有する。
【００２０】
二次転写ベルト２４は、無端ベルトであり、２つのローラ２３に掛けられ、回転する。ローラ２３及び二次転写ベルト２４は、中間転写ベルト１０を押し上げて、第３の支持ローラ１６に押し当てるように設置される。
【００２１】
二次転写ベルト２４は、中間転写ベルト１０の上に形成された画像を、記録媒体へ転写する。記録媒体は、例えば紙、又はプラスチックシート等である。以下、記録媒体が紙の場合を例に説明する。
【００２２】
定着ユニット２５は、定着のプロセスを行う。定着ユニット２５には、トナー像が転写された記録媒体が送られる。定着ユニット２５は、定着ベルト２６、及び加圧ローラ２７を有する。定着ベルト２６は、無端ベルトである。定着ベルト２６、及び加圧ローラ２７は、定着ベルト２６に、加圧ローラ２７を押し当てるように設置される。定着ユニット２５は、加熱を行う。
【００２３】
シート反転ユニット２８は、送られてきた記録媒体の表面と裏面を反転させる。シート反転ユニット２８は、表面に画像形成した後、裏面に画像形成する場合に用いられる。
【００２４】
自動給紙装置（ＡＤＦ（Ａｕｔｏ  Ｄｏｃｕｍｅｎｔ  Ｆｅｅｄｅｒ））４００は、操作ユニット（図示せず）のスタートボタンが押され、かつ、給紙台３０の上に記録媒体がある場合、記録媒体をコンタクトガラス３２の上に搬送する。自動給紙装置４００は、給紙台３０の上に記録媒体がない場合、ユーザによって置かれたコンタクトガラス３２の上の記録媒体を読み取るために、画像読み取りユニット３００を起動させる。
【００２５】
画像読み取りユニット３００は、第１のキャリッジ３３と、第２のキャリッジ３４と、結像レンズ３５と、ＣＣＤ（Ｃｈａｒｇｅ  Ｃｏｕｐｌｅｄ  Ｄｅｖｉｃｅ）３６と、光源（図示せず）と、を有する。
【００２６】
画像読み取りユニット３００は、コンタクトガラス３２の上の記録媒体を読み取るために、第１のキャリッジ３３、及び第２のキャリッジ３４を動作させる。
【００２７】
第１のキャリッジ３３にある光源は、コンタクトガラス３２に向かって発光する。第１のキャリッジ３３にある光源からの光は、コンタクトガラス３２の上の記録媒体で反射する。
【００２８】
反射した光は、第１のキャリッジ３３にある第１のミラー（図示せず）で、第２のキャリッジ３４に向かって反射する。第２のキャリッジ３４に向かって反射した光は、結像レンズ３５を通して、読み取りセンサであるＣＣＤ３６に結像する。
【００２９】
画像形成装置１００は、ＣＣＤ３６で得た情報に基づいてＹ、Ｍ、Ｃ、及びＫ等の各色に対応する画像データを作成する。
【００３０】
画像形成装置１００は、操作ユニット（図示せず）のスタートボタンが押された場合、ＰＣ（Ｐｅｒｓｏｎａｌ  Ｃｏｍｐｕｔｅｒ）等の外部装置（図示せず）から画像形成の指示があった場合、中間転写ベルト１０の回転を開始する。また、画像形成装置１００は、ファクシミリの出力指示があった場合、中間転写ベルト１０の回転を開始する。
【００３１】
中間転写ベルト１０の回転が開始された場合、作像装置２０は、作像プロセスを開始する。トナー画像が転写された記録媒体は、定着ユニット２５に送られる。定着ユニット２５は、定着のプロセスを行うことによって、記録媒体に画像が画像形成される。
【００３２】
給紙テーブル２００は、給紙ローラ４２と、給紙ユニット４３と、分離ローラ４５と、搬送コロユニット４６と、を有する。給紙ユニット４３は、複数の給紙トレイ４４を有する場合がある。搬送コロユニット４６は、搬送ローラ４７を有する。
【００３３】
給紙テーブル２００は、給紙ローラ４２のうち１つを選択する。給紙テーブル２００は、選択した給紙ローラ４２を回転させる。
【００３４】
給紙ユニット４３は、複数の給紙トレイ４４のうち１つを選択し、給紙トレイ４４から記録媒体を送る。送り出された記録媒体は、分離ローラ４５によって１枚に分離され、搬送コロユニット４６に入れられる。
【００３５】
搬送コロユニット４６は、搬送ローラ４７によって記録媒体を画像形成装置１００に送る。
【００３６】
記録媒体は、搬送コロユニット４８によってレジストローラ４９に送られる。レジストローラ４９に送られた記録媒体は、レジストローラ４９に突き当てて止められる。記録媒体は、トナー画像が二次転写ユニット２２に進入する際に、所定の位置に転写が行われるタイミングで二次転写ユニット２２に搬送される。
【００３７】
記録媒体は、手差しトレイ５１から送られてもよい。手差しトレイ５１から記録媒体を送る場合、画像形成装置１００は、給紙ローラ５０、及び給紙ローラ５２を回転させる。
【００３８】
給紙ローラ５０及び給紙ローラ５２は、手差しトレイ５１上にある複数の記録媒体から１枚の記録媒体に分離させる。給紙ローラ５０、及び給紙ローラ５２は、分離させた記録媒体を給紙路５３へ送る。給紙路５３に送られた記録媒体は、レジストローラ４９に送られる。記録媒体がレジストローラ４９に送られた以降の処理は、給紙テーブル２００から記録媒体を送る場合と同様である。
【００３９】
記録媒体は、定着ユニット２５によって定着され、排出される。定着ユニット２５から排出された記録媒体は、切換爪５５によって排出ローラ５６に送られる。排出ローラ５６は、送られてきた記録媒体を排紙トレイ５７に送る。
【００４０】
また、切換爪５５は、定着ユニット２５から排出された記録媒体をシート反転ユニット２８に送ってもよい。シート反転ユニット２８は、送られてきた記録媒体の表面と裏面を反転させる。反転させられた記録媒体は、表面と同様に裏面に画像形成、いわゆる両面印刷が行われ、排紙トレイ５７へ送られる。
【００４１】
一方、中間転写ベルト１０に残るトナーは、中間転写体クリーニングユニット１７によって除去される。画像形成装置１００は、中間転写ベルト１０に残るトナーが除去されると、次の画像形成に備える。
【００４２】
画像形成装置１００は、図１の構成に限られない。画像形成装置１００は、５色以上の色を用いて画像形成を行ってもよい。画像形成装置１００が５色以上の色を用いる場合、画像形成装置１００は、用いる色の数に合わせて作像装置２０の有する数が変更される。以下、ホワイト（Ｗ）、イエロー（Ｙ）、マゼンタ（Ｍ）、シアン（Ｃ）、及びブラック（Ｋ）の５色を用いて画像形成を行う作像装置２０を例に説明する。
【００４３】
＜作像装置＞
図２は、本発明の一実施形態に係る作像装置の構成の一例を説明する概要図である。
【００４４】
画像形成装置１００は、中間転写ベルト１０と、各色に対応した作像装置２０と、各色に対応した光ビーム走査装置２１と、中間転写体クリーニングユニット１７と、二次転写ユニット２２と、を有する。
【００４５】
光ビーム走査装置２１から、作像装置２０に光ビームが入射される。光ビーム走査装置２１の詳細は、後述する。
【００４６】
作像装置２０は、入射された光ビームに基づいて作像プロセスを行う。電子写真の画像形成のプロセスは、帯電、露光、現像、転写、及び定着の５つのプロセスが行われる。作像プロセスは、帯電、露光、現像、及び転写である。
【００４７】
作像装置２０は、作像プロセスで、各色のトナー画像を中間転写ベルト１０に形成する。各色の作像装置２０が形成した各色のトナー画像を順に重ねて、５色のカラーのトナー画像が形成される。
【００４８】
作像装置２０の感光体ユニット４０には、画像データに基づいて変調された光ビームが入射される。
【００４９】
帯電ユニット１８は、帯電のプロセスを行う。帯電のプロセスは、帯電ユニット１８が感光体ユニット４０の表面を帯電させるプロセスである。
【００５０】
帯電した感光体ユニット４０は、光ビームにより露光のプロセスが行われる。露光のプロセスは、感光体ユニット４０の表面に静電潜像を形成するプロセスである。
【００５１】
現像ユニット２９は、現像のプロセスを行う。現像のプロセスは、感光体ユニット４０に形成された静電潜像に対してトナーを付着させ、トナー画像を形成するプロセスである。現像ユニット２９には、トナーボトル（図示せず）からトナーの供給が行われる。
【００５２】
トナー画像は、転写器６２によって中間転写ベルト１０の上に転写される。
【００５３】
作像された各色のトナー像は、中間転写ベルト１０の上で重ねられ、１つのトナー画像として記録媒体に転写される。
【００５４】
転写の後、除電ユニット１９は、感光体ユニット４０の除電を行い、クリーニングユニット１３は、トナー画像の除去を行う。
【００５５】
転写されたトナー画像が二次転写ユニット２２に進入する際、媒体は、二次転写ユニット２２に送られる。二次転写ユニット２２に送られた記録媒体に、中間転写ベルト１０の上のトナー画像が転写される。
【００５６】
二次転写ユニット２２は、中間転写ベルト１０に形成された５色のカラーのトナー画像を記録媒体に転写する。その後、定着ユニット２５が定着のプロセスを行う。
【００５７】
中間転写体クリーニングユニット１７は、転写プロセスの後、５色のカラーのトナー画像を除去する。
【００５８】
＜光ビーム走査装置＞
図３は、本発明の一実施形態に係る光ビーム走査装置の構成の一例を説明する概要図である。図３は、図２の光ビーム走査装置２１を上から見た上面図である。光ビーム走査装置２１は、各色の光ビーム走査装置２１とも同じ構成である。
【００５９】
光ビーム走査装置２１は、ＬＤ（Ｌａｓｅｒ  Ｄｉｏｄｅ）３１と、各種のミラー３７、及び３８と、を有する。光ビーム走査装置２１は、各種のレンズ１２、３９、及び４１と、同期センサ５４と、ポリゴンミラー１１と、を有する。
【００６０】
ＬＤ３１は、光ビームを発光させる光源である。以下、光源がＬＤの場合を例に説明する。
【００６１】
ＬＤ３１は、画像形成装置１００に入力される画像データに基づいて点灯、及び消灯する光源である。ＬＤ３１から発光された光ビームは、シリンダレンズ４１を通り、ポリゴンミラー１１で反射する。ポリゴンミラー１１は、モータ（図示せず）によって回転し、入射してきた光ビームを偏向させる。なお、光ビーム走査装置２１は、複数のＬＤ３１を有する構成、又は複数の色で光源を共有する構成であってもよい。
【００６２】
ポリゴンミラー１１で反射した光は、ｆθレンズ１２を通り、折り返しミラー３７に向かう。折り返しミラー３７で反射した光は、各色の作像装置２０に入射し、感光体ユニット４０の上を走査する。
【００６３】
主走査方向の書き出しである端部では、ｆθレンズ１２を通った光は、同期ミラー３８で反射し、同期レンズ３９を通って、同期センサ５４に入射する。同期センサ５４は、入射する光から主走査方向の書き出し開始のタイミングを検出する。
【００６４】
なお、主走査方向は、記録媒体の搬送方向に対して垂直方向である。副走査方向は、記録媒体の搬送方向である。以下、主走査方向、及び副走査方向は、同様に記載する。
【００６５】
＜機能構成＞
図４は、本発明の一実施形態に係る画像形成制御部、及び光ビーム走査装置の構成の一例を説明する機能ブロック図である。
【００６６】
画像データの信号は、同期検出用強制点灯信号ＢＤ、光量制御タイミング信号ＡＰＣ、及び画素クロック信号ＰＣＬＫと同期したタイミングで入力される。
【００６７】
画像形成装置１００は、画素クロック（ｃｌｏｃｋ）生成部１００Ｆ１と、同期検出用点灯制御部１００Ｆ２と、ポリゴンモータ制御部１００Ｆ３と、ラインデータ記憶部１００Ｆ７と、を有する。画像形成装置１００は、書出開始位置制御部１００Ｆ４と、プリンタ制御部１００Ｆ５と、操作部１００Ｆ６と、を有する。
【００６８】
画像形成装置１００は、プリンタ制御部１００Ｆ５、及び操作部１００Ｆ６以外の各部を色ごとに有する。
【００６９】
光ビーム走査装置２１は、図示するように書出開始位置側に同期センサ５４を設置する。光ビームは、図３で説明したように書出開始位置でｆθレンズ１２を通り、同期ミラー３８で反射する。同期ミラー３８で反射した光ビームは、同期レンズ３９を通って、同期センサ５４に入射する。同期センサ５４に光ビームが入射した場合、同期センサ５４は、同期検出信号ＸＤＥＴＰを出力する。同期検出信号ＸＤＥＴＰは、画素クロック生成部１００Ｆ１、同期検出用点灯制御部１００Ｆ２、及び書出開始位置制御部１００Ｆ４に出力される。
【００７０】
画素クロック生成部１００Ｆ１は、同期検出信号ＸＤＥＴＰに同期した画素クロック信号ＰＣＬＫを生成する。画素クロック信号ＰＣＬＫは、同期検出用点灯制御部１００Ｆ２、書出開始位置制御部１００Ｆ４、及びラインデータ記憶部１００Ｆ７に出力される。
【００７１】
画素クロック生成部１００Ｆ１は、基準クロック生成部１００Ｆ１１と、ＶＣＯ（Ｖｏｌｔａｇｅ  Ｃｏｎｔｒｏｌｌｅｄ  Ｏｓｃｉｌｌａｔｏｒ）クロック生成部１００Ｆ１２と、位相同期クロック生成部１００Ｆ１３と、を有する。
【００７２】
基準クロック生成部１００Ｆ１１は、基準となるクロック信号である基準クロック信号ＦＲＥＦを生成する。
【００７３】
ＶＣＯクロック生成部１００Ｆ１２は、ＶＣＯクロック信号ＶＣＬＫを生成する。
【００７４】
図５は、本発明の一実施形態に係るＶＣＯクロック生成部の一例を説明する機能ブロック図である。
【００７５】
ＶＣＯクロック生成部１００Ｆ１２は、位相比較器１００Ｆ１２１と、ローパスフィルタ（Ｌｏｗ  Ｐａｓｓ  Ｆｉｌｔｅｒ）１００Ｆ１２２と、ＶＣＯ１００Ｆ１２３と、１／Ｎ分周器１００Ｆ１２４と、を有する。
【００７６】
位相比較器１００Ｆ１２１は、図４の基準クロック生成部１００Ｆ１１からの入力信号である基準クロック信号ＦＲＥＦと、１／Ｎ分周器１００Ｆ１２４から１／Ｎ分周されたＶＣＯクロック信号ＶＣＬＫと、が入力される。位相比較器１００Ｆ１２１は、入力された２つの信号の立ち下がりエッジの位相を比較し、誤差成分を所定の電流でローパスフィルタ１００Ｆ１２２に出力する。
【００７７】
ローパスフィルタ１００Ｆ１２２は、位相比較器１００Ｆ１２１の出力から高周波成分である雑音等を取り除き、直流電圧をＶＣＯ１００Ｆ１２３に出力する。
【００７８】
ＶＣＯ１００Ｆ１２３は、ローパスフィルタ１００Ｆ１２２の出力に基づいて、所定の周波数であるＶＣＯクロック信号ＶＣＬＫを出力する。
【００７９】
１／Ｎ分周器１００Ｆ１２４は、入力されるＶＣＯクロック信号ＶＣＬＫを、設定された分周比Ｎで１／Ｎに分周する。
【００８０】
なお、基準クロック信号の周波数、及び分周比Ｎは、プリンタ制御部１００Ｆ５から設定が可能である。画素クロック生成部１００Ｆ１は、基準クロック信号の周波数と、分周比Ｎの値を変更することで、ＶＣＯクロック信号ＶＣＬＫの周波数を変更することができる。
【００８１】
位相同期クロック生成部１００Ｆ１３は、ＶＣＯクロック信号ＶＣＬＫ、及び同期検出信号ＸＤＥＴＰが入力される。位相同期クロック生成部１００Ｆ１３は、同期検出信号ＸＤＥＴＰに同期させた画素クロック信号ＰＣＬＫを同期検出用点灯制御部１００Ｆ２、書出開始位置制御部１００Ｆ４、及びラインデータ記憶部１００Ｆ７に出力する。画素クロック信号ＰＣＬＫの周波数は、ＶＣＯクロック信号ＶＣＬＫの周波数に基づいて変更できる。
【００８２】
同期検出用点灯制御部１００Ｆ２は、同期検出信号ＸＤＥＴＰを同期センサ５４に出力させるために、同期検出用強制点灯信号ＢＤをアサート（Ａｓｓｅｒｔ）する。同期検出用強制点灯信号ＢＤは、ＬＤ制御部２１Ｆ１に出力される。ＬＤ制御部２１Ｆ１は、アサートされた同期検出用強制点灯信号ＢＤが入力された場合、光源を点灯させる制御を行う。
【００８３】
同期検出用点灯制御部１００Ｆ２は、同期検出信号ＸＤＥＴＰを検出した場合、同期検出信号ＸＤＥＴＰ、及び画素クロック信号ＰＣＬＫに基づいてフレア光が発生しないタイミングで同期検出用強制点灯信号ＢＤをアサートする。
【００８４】
図６は、本発明の一実施形態に係る同期検出用点灯制御部の出力信号のタイミングの一例を説明するタイミングチャートである。
【００８５】
図６において同期検出用強制点灯信号ＢＤ、及び光量制御タイミング信号ＡＰＣは、Ｈｉｇｈレベルがアサート（Ａｓｓｅｒｔ）された状態の信号、いわゆるハイアクティブ信号である。図６において同期検出信号ＸＤＥＴＰは、Ｌｏｗレベルがアサートされた状態の信号、いわゆるローアクティブ信号である。
【００８６】
図６で示すように、光量制御タイミング信号ＡＰＣは、画像形成が行われている以外のタイミングでアサートされる。即ち、光量制御タイミング信号ＡＰＣの処理は、ＬＤが点灯するため、画像形成が行われていないタイミングで実行される。
【００８７】
同期検出用強制点灯信号ＢＤは、図６で示すように、画像形成が行われていない、かつ、光量制御タイミング信号ＡＰＣの処理が実行されていないタイミングでアサートされる。
【００８８】
同期検出用点灯制御部１００Ｆ２は、例えば図５で示すようなタイミングで、ＡＰＣ信号、及び同期検出用強制点灯信号ＢＤをＬＤ制御部２１Ｆ１に出力する。
【００８９】
なお、光量制御タイミング信号ＡＰＣ、及び同期検出用強制点灯信号ＢＤをアサートするタイミングは、図６の場合に限定されない。例えば、複数の光源を有するＬＤアレイ、かつ、光量を測定するＰＤ（Ｐｈｏｔｏ  Ｄｉｏｄｅ）が１個の場合、各々の光源について光量制御タイミング信号ＡＰＣの処理を行う必要がある。そのため、光量制御タイミング信号ＡＰＣは、光源の数に対応してアサートされてもよい。
【００９０】
ポリゴンモータ制御部１００Ｆ３は、プリンタ制御部１００Ｆ５の制御に基づいてポリゴンミラー１１を回転させるポリゴンモータ（図示せず）の回転数を制御する回転制御等を行う。
【００９１】
書出開始位置制御部１００Ｆ４は、同期検出信号ＸＤＥＴＰ、画素クロック信号ＰＣＬＫ、及びプリンタ制御部１００Ｆ５からの設定信号と、印刷開始信号が入力される。書出開始位置制御部１００Ｆ４は、画像の書出開始タイミング、及び画像形成を行う幅を決定するための主走査方向用の制御信号である主走査制御信号ＸＲＧＡＴＥ、及び副走査方向用の制御信号である副走査制御信号ＸＦＧＡＴＥを生成する。
【００９２】
制御信号は、例えば副走査制御信号ＸＦＧＡＴＥである。以下、副走査制御信号ＸＦＧＡＴＥを例に説明する。
【００９３】
図７は、本発明の一実施形態に係る書出開始位置制御部の一例を説明する機能ブロック図である。
【００９４】
書出開始位置制御部１００Ｆ４は、副走査制御信号生成部１００Ｆ４１と、主走査制御信号生成部１００Ｆ４２と、主走査ライン同期信号生成部１００Ｆ４３と、を有する。
【００９５】
主走査ライン同期信号生成部１００Ｆ４３は、副走査カウンタ１００Ｆ４１１、及び主走査カウンタ１００Ｆ４２１を動作させる信号であるカウンタ制御信号ＸＬＳＹＮＣを生成する。
【００９６】
副走査制御信号生成部１００Ｆ４１は、副走査カウンタ１００Ｆ４１１と、コンパレータ１００Ｆ４１２と、制御信号生成部１００Ｆ４１３と、を有する。
【００９７】
副走査制御信号生成部１００Ｆ４１は、副走査制御信号ＸＦＧＡＴＥを生成する。副走査制御信号ＸＦＧＡＴＥは、画像信号の取り込みタイミング、即ち副走査方向の画像の書き出しタイミングを決定する信号である。
【００９８】
副走査カウンタ１００Ｆ４１１は、プリンタ制御部１００Ｆ５からの印刷開始信号で動作を開始し、カウンタ制御信号ＸＬＳＹＮＣごとにカウントアップ（ｃｏｕｎｔ  ｕｐ）するカウンタである。
【００９９】
コンパレータ１００Ｆ４１２は、副走査カウンタ１００Ｆ４１１によるカウンタ値と、プリンタ制御部１００Ｆ５からの設定信号による設定値と、を比較し、比較結果を出力する。
【０１００】
制御信号生成部１００Ｆ４１３は、コンパレータ１００Ｆ４１２からの比較結果に基づいて副走査制御信号ＸＦＧＡＴＥを生成する。
【０１０１】
主走査制御信号生成部１００Ｆ４２は、主走査カウンタ１００Ｆ４２１と、コンパレータ１００Ｆ４２２と、制御信号生成部１００Ｆ４２３と、を有する。
【０１０２】
主走査制御信号生成部１００Ｆ４２は、主走査制御信号ＸＲＧＡＴＥを生成する。主走査制御信号ＸＲＧＡＴＥは、画像信号の取り込みタイミング、即ち主走査方向の画像の書き出しタイミングを決定する信号である。
【０１０３】
主走査カウンタ１００Ｆ４２１は、カウンタ制御信号ＸＬＳＹＮＣで動作を開始し、画素クロック信号ＰＣＬＫごとにカウントアップ（ｃｏｕｎｔ  ｕｐ）するカウンタである。
【０１０４】
コンパレータ１００Ｆ４２２は、主走査カウンタ１００Ｆ４２１によるカウンタ値と、プリンタ制御部１００Ｆ５からの設定信号による設定値と、を比較し、比較結果を出力する。
【０１０５】
制御信号生成部１００Ｆ４２３は、コンパレータ１００Ｆ４２２からの比較結果に基づいて主走査制御信号ＸＲＧＡＴＥを生成する。
【０１０６】
書出開始位置制御部１００Ｆ４は、主走査方向について画素クロック信号ＰＣＬＫの１周期単位、即ち１ドット（ｄｏｔ）単位で書出位置の補正が設定値で行うことができる。書出開始位置制御部１００Ｆ４は、副走査方向についてカウンタ制御信号ＸＬＳＹＮＣの１周期単位、即ち１ライン（ｌｉｎｅ）単位で書出位置の補正が設定値で行うことができる。設定値となる補正データは、プリンタ制御部１００Ｆ５の記憶部（図示せず）に記憶されている。
【０１０７】
プリンタ制御部１００Ｆ５は、画像形成装置１００の有する各部の制御を行う。操作部１００Ｆ６は、画像形成装置１００のユーザに操作を入力させる処理を行う。
【０１０８】
ラインデータ記憶部１００Ｆ７は、１ラインデータを記憶する。ラインデータ記憶部１００Ｆ７は、ラインメモリ７０によって実現する。ラインメモリ７０の詳細は、後述する。
【０１０９】
図４で説明した操作部１００Ｆ６以外の各部は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）（図示せず）等によって電子回路で実現される。操作部１００Ｆ６は、タッチパネル等で構成される操作パネル（図示せず）によって実現される。なお、各部の行う処理の一部、又は全部は、ＣＰＵ（Ｃｅｎｔｒａｌ  Ｐｒｏｃｅｓｓｉｎｇ  Ｕｎｉｔ）（図示せず）等によって実現されてもよい。
【０１１０】
＜主走査方向＞
図８は、本発明の一実施形態に係る書出開始位置制御部による主走査方向の制御の一例を説明するタイミングチャートである。
【０１１１】
図８において、画素クロック信号ＰＣＬＫは、クロック信号である。画素クロック信号ＰＣＬＫの立ち上がりエッジのタイミングで、各種カウンタが動作する。図８において同期検出信号ＸＤＥＴＰ、カウンタ制御信号ＸＬＳＹＮＣ、副走査制御信号ＸＦＧＡＴＥ、及び主走査制御信号ＸＲＧＡＴＥは、Ｌｏｗレベルがアサートされた状態の信号、いわゆるローアクティブ信号である。
【０１１２】
図７の主走査カウンタ１００Ｆ４２１は、図示するようにカウンタ制御信号ＸＬＳＹＮＣがアサートされたタイミングＴ１でカウンタ値を「０」とする、いわゆるリセットを行う。タイミングＴ１以降、図７の主走査カウンタ１００Ｆ４２１は、図示するように、画素クロック信号ＰＣＬＫごとにカウンタ値のカウントアップを行う。
【０１１３】
例えば図７の設定信号によって設定値「Ｘ」が入力されている場合、図７のコンパレータ１００Ｆ４２２は、カウントアップされていくカウンタ値が設定値「Ｘ」に達しているか否かの比較を行う。カウンタ値が設定値「Ｘ」に達した場合、図７のコンパレータ１００Ｆ４２２は、設定値「Ｘ」に達したとの比較結果を出力する。設定値「Ｘ」に達したとの比較結果に基づいて、図７の制御信号生成部１００Ｆ４２３は、主走査制御信号ＸＲＧＡＴＥをアサートする。画像形成装置１００は、図示するように主走査制御信号ＸＲＧＡＴＥがアサートされたタイミングＴ２から画像信号の取り込みを開始、即ち画像形成が開始される。タイミングＴ２から取り込まれる画像信号に基づいて画像形成装置１００は、画像形成を行う。主走査制御信号ＸＲＧＡＴＥは、主走査方向の画像幅分、アサートされる信号である。
【０１１４】
＜副走査方向＞
図９は、本発明の一実施形態に係る書出開始位置制御部による副走査方向の制御の一例を説明するタイミングチャートである。
【０１１５】
図９において印刷開始信号、カウンタ制御信号ＸＬＳＹＮＣ、及び副走査制御信号ＸＦＧＡＴＥは、Ｌｏｗレベルがアサートされた状態の信号、いわゆるローアクティブ信号である。
【０１１６】
図７の副走査カウンタ１００Ｆ４１１は、図示するように印刷開始信号がアサートされたタイミングＴ３でカウンタ値を「０」とする、いわゆるリセットを行う。タイミングＴ３以降、図７の副走査カウンタ１００Ｆ４１１は、図示するように、カウンタ制御信号ＸＬＳＹＮＣがアサートされるごとにカウンタ値のカウントアップを行う。
【０１１７】
例えば図７の設定信号によって設定値「Ｙ」が入力されている場合、コンパレータ１００Ｆ４１２は、カウントアップされていくカウンタ値が設定値「Ｙ」に達しているか否かの比較を行う。カウンタ値が設定値「Ｙ」に達した場合、図７のコンパレータ１００Ｆ４１２は、設定値「Ｙ」に達したとの比較結果を出力する。設定値「Ｙ」に達したとの比較結果に基づいて、図７の制御信号生成部１００Ｆ４１３は、副走査制御信号ＸＦＧＡＴＥをアサートする。画像形成装置１００は、図示するように副走査制御信号ＸＦＧＡＴＥがアサートされたタイミングＴ４から画像信号の取り込みを開始、即ち画像形成が開始される。タイミングＴ４から取り込まれる画像信号に基づいて画像形成装置１００は、画像形成を行う。副走査制御信号ＸＦＧＡＴＥは、副走査方向の画像長さ分、アサートされる信号である。
【０１１８】
＜画像信号の取り込み＞
図１０は、本発明の一実施形態に係る画像信号の取り込みを実現するための構成の一例を説明する機能ブロック図である。
【０１１９】
画像形成装置１００は、ラインメモリ７０を有する。ラインメモリ７０は、画像信号で入力される画像データを記憶する。
【０１２０】
ラインメモリ７０は、入力される画素クロック信号ＰＣＬＫに同期して画像信号の出力を行う。ラインメモリ７０は、入力される主走査制御信号ＸＲＧＡＴＥに基づいて図４のＬＤ制御部２１Ｆ１に画像信号を出力する。即ち、ラインメモリ７０は、ＬＤ制御部２１Ｆ１の前段の処理を行う。ラインメモリ７０は、図４のプリンタ制御部１００Ｆ５、フレームメモリ（図示せず）、又はスキャナ（図示せず）等から入力された画像信号を図４のＬＤ制御部２１Ｆ１に画像信号を出力する。図４のＬＤ制御部２１Ｆ１は、ラインメモリ７０から出力されたタイミングで図４のＬＤ３１を点灯させる。
【０１２１】
＜ＬＤ制御部＞
図１１は、本発明の一実施形態に係るＬＤ制御部による光源の点灯、及び消灯の制御の一例を説明するタイミングチャートである。
【０１２２】
図４のＬＤ制御部２１Ｆ１は、画像信号に基づいて図４のＬＤ３１を制御するためのＬＤ駆動信号を出力する。ＬＤ３１は、ＬＤ駆動信号に基づいて点灯、及び消灯が制御される。即ち、図３で説明したＬＤ３１から発光される光ビームは、ＬＤ制御部２１Ｆ１によって制御された光である。
【０１２３】
図４のＬＤ３１は、ＬＤ駆動信号のパルス信号のデューティ（Ｄｕｔｙ）比に基づいてを発光する時間を制御される、いわゆるＰＷＭ制御（以下、ＰＷＭ制御という）によって制御される。デューティ比に基づいてＬＤ３１の点灯、及び消灯を制御することによって、図４のＬＤ制御部２１Ｆ１は、画像の濃度を制御する。
【０１２４】
図４のＬＤ制御部２１Ｆ１は、入力される画像信号の値に基づいてＬＤ駆動信号を生成する。ＬＤ駆動信号は、画像信号に対して、パルス（Ｐｕｌｓｅ）信号を生成する。
【０１２５】
なお、ＬＤ駆動信号のパルス幅は、パルス幅調整信号によって画像形成装置１００のユーザが決定することができる。また、ＬＤ駆動信号は、ＰＷＭ信号に限られない。
【０１２６】
また、図４のＬＤ制御部２１Ｆ１は、同期検出用強制点灯信号ＢＤに基づいて図４のＬＤ３１を点灯させる。
【０１２７】
図４のＬＤ３１は、図示するようにＬＤ駆動信号のパルスの時間幅に基づいて、発光する時間を制御される。
【０１２８】
ＬＤ駆動信号は、図１１で示すように、入力される画像信号の値に対応した所定の時間幅のパルス信号である。
【０１２９】
図１１は、例えば画像信号が２ビット幅、即ち、０、１、２、又は３のうち何れかの値である場合で例示する。ＬＤ駆動信号のデューティ比は、例えば画像信号の値が３の場合、パルス幅Ｗ１で示すように１００パーセントである。同様に、画像信号の値が２の場合、ＬＤ駆動信号のデューティ比は、パルス幅Ｗ２で示すように６６パーセントである。画像信号の値が１の場合、ＬＤ駆動信号のデューティ比は、パルス幅Ｗ３で示すように３３パーセントである。
【０１３０】
画像信号の値が０の場合、画像信号はＬＤを消灯させることを示す。画像信号の値が０の場合、ＬＤ駆動信号は、パルス幅Ｗ４で示すように発光のディレイより短い時間幅のＬＤ駆動信号を生成してもよい。
【０１３１】
画像信号の値が０の場合でも、発光のディレイより短い時間幅のＬＤ駆動信号を生成することで、その後の点灯の際、光源の応答性を良くすることができる。例えば、タイミングＴ５に示すように、画像信号の値が０の場合が続いた際、ＬＤ駆動信号が連続して短いパルス幅で生成されても、光源が点灯しないため、地汚れの発生を抑えることができる。
【０１３２】
また、画像信号の値が０の場合が続く際、画像信号の値が１以上となる直前の制御信号は、発光のディレイより短い時間幅のＬＤ駆動信号を生成することが望ましい。
【０１３３】
なお、画像信号のビット幅は、２ビットに限られない。例えば、画像信号のビット幅は１ビット、即ち、画像信号は０または１の２値でもよい。また、画像信号のビット幅は３ビット以上のものでもよい。
【０１３４】
なお、ＬＤ駆動信号のデューティ比は、１００パーセント、６６パーセント、３３パーセントに限られない。例えば、ＬＤ駆動信号のデューティ比は、図４のプリンタ制御部１００Ｆ５から入力されるパルス幅調整信号によって各画像信号に対するデューティ比を設定することができてもよい。
【０１３５】
＜カラーの画像形成の場合の副走査制御信号＞
図１２は、本発明の一実施形態に係る５色のカラーの画像形成の場合の副走査制御信号のタイミングの一例を説明するタイミングチャートである。
【０１３６】
画像形成装置１００は、図９等で説明した副走査制御信号ＸＦＧＡＴＥを色ごとに有する。ホワイト（Ｗ）、イエロー（Ｙ）、マゼンタ（Ｍ）、シアン（Ｃ）、及びブラック（Ｋ）の５色の場合、画像形成装置１００は、５つの副走査制御信号ＸＦＧＡＴＥを有する。ホワイト用の副走査制御信号は、副走査制御信号ＸＦＧＡＴＥ＿Ｗである。イエロー用の副走査制御信号は、副走査制御信号ＸＦＧＡＴＥ＿Ｙである。マゼンタ用の副走査制御信号は、副走査制御信号ＸＦＧＡＴＥ＿Ｍである。シアン用の副走査制御信号は、副走査制御信号ＸＦＧＡＴＥ＿Ｃである。ブラック用の副走査制御信号は、副走査制御信号ＸＦＧＡＴＥ＿Ｋである。
【０１３７】
第１の色の制御信号は、例えばブラックの副走査制御信号ＸＦＧＡＴＥ＿Ｋである。第２の色の制御信号は、例えばホワイトの副走査制御信号ＸＦＧＡＴＥ＿Ｗ、イエローの副走査制御信号ＸＦＧＡＴＥ＿Ｙ、マゼンタの副走査制御信号ＸＦＧＡＴＥ＿Ｍ、及びシアンの副走査制御信号ＸＦＧＡＴＥ＿Ｃである。以下、第１の色の制御信号は、ブラックの副走査制御信号ＸＦＧＡＴＥ＿Ｋ、及び第２の色の制御信号は、ブラック以外の副走査制御信号ＸＦＧＡＴＥの場合を例に説明する。
【０１３８】
各色の副走査制御信号は、図示するように印刷開始信号をトリガにして出力が開始される。図示するように各色の副走査制御信号は、図２の感光体ユニット４０の設置位置に基づいてタイミングがずれて出力される。
【０１３９】
画像形成装置１００は、各色について各色の副走査制御信号に基づいて図２の感光体ユニット４０の表面に静電潜像を形成し、静電潜像に基づいて図２の中間転写ベルト１０に５色のトナーを重ねてトナー画像を形成する。トナー画像は、図２の二次転写ユニット２２によって記録媒体に転写される。図２の二次転写ユニット２２が転写を行う際、記録媒体の所定の位置にトナー画像を転写させるため、記録媒体の搬送するタイミングは、副走査制御信号に基づいて決定される。記録媒体の搬送するタイミングは、例えばブラックの副走査制御信号ＸＦＧＡＴＥ＿Ｋに基づいて決定される。
【０１４０】
搬送手段は、例えば図１のレジストローラ４９である。以下、図１のレジストローラ４９を例に説明する。記録媒体の搬送するタイミングは、例えば図１のレジストローラ４９から記録媒体を搬送するタイミングである。即ち、記録媒体は、ブラックの副走査制御信号ＸＦＧＡＴＥ＿Ｋに基づいて図１のレジストローラ４９によって搬送され、記録媒体の所定の位置に転写が行われる。
【０１４１】
＜モノクロの画像形成の場合の副走査制御信号＞
図１３は、本発明の一実施形態に係るモノクロの画像形成の場合の副走査制御信号のタイミングの一例を説明するタイミングチャートである。
【０１４２】
モノクロの画像形成は、ブラックによって画像形成を行う場合である。したがって、ブラック以外の使用しない色については、作像を行わないため、図示するように副走査制御信号を生成しなくともよい。
【０１４３】
ブラックの副走査制御信号ＸＦＧＡＴＥ＿Ｋは、図１２の場合と同様である。記録媒体の搬送するタイミングは、図１２と同様に例えばブラックの副走査制御信号ＸＦＧＡＴＥ＿Ｋに基づいて決定される。
【０１４４】
＜ホワイトによる画像形成の場合の副走査制御信号＞
図１４は、本発明の一実施形態に係るホワイトの画像形成の場合の副走査制御信号のタイミングの一例を説明するタイミングチャートである。
【０１４５】
ホワイトの画像形成は、ホワイトによって画像形成を行う場合である。単色で画像形成を行う場合は、例えばホワイトによって画像形成を行う場合である。以下、ホワイトによって画像形成を行う場合を例に説明する。
【０１４６】
ホワイトの画像形成の場合、画像形成装置１００は、ブラックの副走査制御信号ＸＦＧＡＴＥ＿Ｋを生成する。ブラックの副走査制御信号ＸＦＧＡＴＥ＿Ｋは、図１２、及び図１３と同じタイミングである。ブラックの副走査制御信号ＸＦＧＡＴＥ＿Ｋは、記録媒体の搬送するタイミングを決定するのに用いられる。
【０１４７】
ホワイトの画像形成の場合、ブラックの図４のＬＤ３１に流される電流は、画像形成の際の電流より小さい電流であってもよい。画像形成の際、図４のＬＤ３１に流される電流は、光源の発光特性を向上させるために、いわゆるバイアス（Ｂｉａｓ）電流が流されている。ホワイトの画像形成の場合、ブラックの図４のＬＤ３１に流される電流は、図２の感光体ユニット４０上を走査する際、バイアス電流より小さい電流である。例えばバイアス電流が１０ミリアンペアの場合、ホワイトの画像形成の場合、図２の感光体ユニット４０上を走査する際、ブラックの図４のＬＤ３１に流される電流は、例えば０乃至５ミリアンペアである。
【０１４８】
なお、バイアス電流、及びブラックの図４のＬＤ３１に流される電流は、上述した電流値に限られない。各電流値は、光源の特性に対応して設定されてもよい。バイアス電流、及びブラックの図４のＬＤ３１に流される電流は、感光体の劣化を少なくするため、光源が点灯しない電流値が望ましい。
【０１４９】
ホワイトの画像形成の場合、ブラックの図４のＬＤ３１に流される電流は、同期検出信号ＸＤＥＴＰの検出を行う場合、光源が点灯する程度の電流が流される。
【０１５０】
ホワイトの画像形成は、ブラックの色の画像形成を行わない場合である。ホワイトの画像形成の場合に、画像形成装置１００は、ブラックの図４のＬＤ３１に流される電流を、図２の感光体ユニット４０上を走査する際、バイアス電流より小さい電流にする。バイアス電流は、光源の点灯を待機する際に流される電流であるため、バイアス電流より小さい電流であると、光源が点灯しにくい。バイアス電流より小さい電流にすることによって、画像形成装置１００は、ブラックの図４のＬＤ３１の点灯を抑えることができる。画像形成装置１００は、ブラックの図４のＬＤ３１の光源の点灯を抑えることによって、図２の感光体ユニット４０の劣化を少なくすることができる。
【０１５１】
なお、色は、ホワイトに限定されない。ホワイトの画像形成は、ホワイトに代えて別の色を用いる場合でもよい。
【０１５２】
カラーの画像形成の場合、モノクロの画像形成の場合、及びホワイトによる画像形成の場合は、いわゆるモード（ｍｏｄｅ）である。即ち、いずれのモードであっても、記録媒体の搬送するタイミングは、ブラックの副走査制御信号ＸＦＧＡＴＥ＿Ｋで決定する。いずれのモードであっても、記録媒体の搬送するタイミングを決定するために、画像形成装置１００は、ブラックの副走査制御信号ＸＦＧＡＴＥ＿Ｋを生成する。ブラックの副走査制御信号ＸＦＧＡＴＥ＿Ｋを生成は、ブラックの画像に係るデータが入力されるか否かによらずに行われる。
【０１５３】
いずれのモードでもブラックの副走査制御信号ＸＦＧＡＴＥ＿Ｋを生成するため、いずれのモードでも記録媒体の搬送するタイミングは、ブラックの副走査制御信号ＸＦＧＡＴＥ＿Ｋに基づいて決定することができる。したがって、記録媒体の搬送するタイミングは、いずれのモードでもブラックの副走査制御信号ＸＦＧＡＴＥ＿Ｋに基づくため、いずれのモードでも記録媒体を搬送するタイミングを同じにすることができる。よって、いずれのモードによっても、画像形成装置１００は、記録媒体の同じ位置に画像形成を行うことができる。
【０１５４】
例えばホワイトの画像形成の場合、かつ、ブラックの副走査制御信号ＸＦＧＡＴＥ＿Ｋを生成しない場合、記録媒体の搬送するタイミングは、ホワイトの副走査制御信号ＸＦＧＡＴＥ＿Ｗで行う必要がある。図１２で説明した通り、ブラックの副走査制御信号ＸＦＧＡＴＥ＿Ｋと、ホワイトの副走査制御信号ＸＦＧＡＴＥ＿Ｗと、については、ずれがある。そのため、ホワイトの副走査制御信号ＸＦＧＡＴＥ＿Ｗに基づいて記録媒体の搬送するタイミングの決定は、ずれを考慮して調整を行う必要がある。ホワイトの画像形成の場合でもブラックの副走査制御信号ＸＦＧＡＴＥ＿Ｋを生成することによって、画像形成装置１００は、調整等を必要なく、同じタイミングで搬送するタイミングを決定できる。
【０１５５】
記録媒体の搬送するタイミングは、ブラックの副走査制御信号ＸＦＧＡＴＥ＿Ｋを用いる場合が望ましい。ブラックは、モノクロ、及びカラー等で使用される色である。即ち、ブラックは、他の色の比較して使用されることが多い色である。したがって、ブラックの副走査制御信号ＸＦＧＡＴＥ＿Ｋは、画像形成に用いられるために生成される場合が多い。そのため、ブラックの副走査制御信号ＸＦＧＡＴＥ＿Ｋは、他の色と比較して搬送するタイミングを決定するためのみに生成する場合が少ない。よって、画像形成装置１００は、記録媒体の搬送するタイミングにブラックの副走査制御信号ＸＦＧＡＴＥ＿Ｋを用いることによって、作像しない色の副走査制御信号の生成を少なくすることができる。また、画像形成装置１００は、記録媒体の搬送するタイミングにブラックの副走査制御信号ＸＦＧＡＴＥ＿Ｋを用いることによって、作像しない色の光源の劣化を少なくすることができる。画像形成装置１００は、作像しない色の光源の使用を抑えることによって、作像しない色の感光体ユニットの劣化を少なくすることができる。
【０１５６】
なお、モードは、図１２乃至図１５で説明した３のモードに限られない。実施形態は、例えば他のモードでブラックの副走査制御信号ＸＦＧＡＴＥ＿Ｋを生成してもよい。
【０１５７】
＜全体処理＞
図１５は、本発明の一実施形態に係る全体処理の一例を説明するフローチャートである。
【０１５８】
ステップＳ１５０１では、画像形成装置１００は、図３のポリゴンミラー１１を回転させるポリゴンモータを図４のプリンタ制御部１００Ｆ５が指示する回転数で回転させる処理を行う。ステップＳ１５０１は、図４の操作部１００Ｆ６の有する操作パネルによってスタートの操作が行われた場合である。
【０１５９】
ステップＳ１５０２では、画像形成装置１００は、図４のプリンタ制御部１００Ｆ５に補正データを入力させる処理を行う。ステップＳ１５０２は、画像形成装置１００が図４の操作部１００Ｆ６の有する操作パネル等によってユーザに入力させる処理である。補正データは、例えば図７の設定信号で送られる設定値等である。
【０１６０】
ステップＳ１５０３では、画像形成装置１００は、図４のＬＤ制御部２１Ｆ１に光源を点灯させる処理を行う。光源を点灯させる処理は、例えば同期検出用強制点灯信号ＢＤを出力させるための点灯、及び各光源を所定の光量で点灯させるためのいわゆるＡＰＣ動作等を行う処理である。
【０１６１】
ステップＳ１５０４では、画像形成装置１００は、画像形成を行う。画像形成は、画像形成装置１００に入力された画像データに基づいた図４のＬＤ制御部２１Ｆ１による光源の制御等によって記録媒体に画像形成を行う。
【０１６２】
ステップＳ１５０５では、画像形成装置１００は、次の画像があるか否かの判断を行う。画像形成装置１００は、次の画像があると判断した場合（ステップＳ１５０５でＹＥＳ）、ステップＳ１５０４に戻り、次の画像の画像形成を行う。画像形成装置１００は、次の画像がないと判断した場合（ステップＳ１５０５でＮＯ）、ステップＳ１５０６に進む。
【０１６３】
ステップＳ１５０６では、画像形成装置１００は、光源を消灯させる。
【０１６４】
ステップＳ１５０７では、画像形成装置１００は、図３のポリゴンミラー１１を回転させるポリゴンモータ（図示せず）を停止させ、全体処理を終了する。
【０１６５】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１６６】
１００  画像形成装置
１００Ｆ１  画素クロック生成部
１００Ｆ１１  基準クロック生成部
１００Ｆ１２  ＶＣＯクロック生成部
１００Ｆ１２１  位相比較器
１００Ｆ１２２  ローパスフィルタ
１００Ｆ１２３  ＶＣＯ
１００Ｆ１２４  １／Ｎ分周器
１００Ｆ１３  位相同期クロック生成部
１００Ｆ２  同期検出用点灯制御部
１００Ｆ３  ポリゴンモータ制御部
１００Ｆ４  書出開始位置制御部
１００Ｆ４１  副走査制御信号生成部
１００Ｆ４１１  副走査カウンタ
１００Ｆ４１２  コンパレータ
１００Ｆ４１３  制御信号生成部
１００Ｆ４２  主走査制御信号生成部
１００Ｆ４２１  主走査カウンタ
１００Ｆ４２２  コンパレータ
１００Ｆ４２３  制御信号生成部
１００Ｆ４３  主走査ライン同期信号生成部
１００Ｆ５  プリンタ制御部
１００Ｆ６  操作部
１００Ｆ７  ラインデータ記憶部
１０  中間転写ベルト
１１  ポリゴンミラー
１２  ｆθレンズ
１３  クリーニングユニット
１４、１５、１６  支持ローラ
１７  中間転写体クリーニングユニット
１８  帯電ユニット
２０  作像装置
２１  光ビーム走査装置
２１Ｆ１  ＬＤ制御部
２２  二次転写ユニット
２３  ローラ
２４  二次転写ベルト
２５  定着ユニット
２６  定着ベルト
２７  加圧ローラ
２８  シート反転ユニット
２９  現像ユニット
３０  給紙台
３１  ＬＤ
３２  コンタクトガラス
３３、３４  キャリッジ
３５  結像レンズ
３６  ＣＣＤ
３７  折り返しミラー
３８  同期ミラー
３９  同期レンズ
４０  感光体ユニット
４１  シリンダレンズ
４２、５０、５２  給紙ローラ
４３  給紙ユニット
４４  給紙トレイ
４５  分離ローラ
４６、４８  搬送用コロユニット
４７  搬送ローラ
４９  レジストローラ
５１  手差しトレイ
５３  給紙路
５４  同期センサ
５５  切換爪
６２  転写器
７０  ラインメモリ
２００  給紙テーブル
３００  画像読み取りユニット
４００  自動給紙装置（ＡＤＦ）
ＢＤ  同期検出用強制点灯信号
ＡＰＣ  光量制御タイミング信号
ＰＣＬＫ  画素クロック信号
ＸＤＥＴＰ  同期検出信号
ＦＲＥＦ  基準クロック信号
ＶＣＬＫ  ＶＣＯクロック信号
ＸＲＧＡＴＥ  主走査制御信号
ＸＦＧＡＴＥ  副走査制御信号
ＸＬＳＹＮＣ  カウンタ制御信号
【先行技術文献】
【特許文献】
【０１６７】
【特許文献１】特開２０１２−１９４４６８号公報
【特許文献２】特開２００４−９３４９号公報
【図１】
2019130921.tif 000003
【図２】
2019130921.tif 000004
【図３】
2019130921.tif 000005
【図４】
2019130921.tif 000006
【図５】
2019130921.tif 000007
【図６】
2019130921.tif 000008
【図７】
2019130921.tif 000009
【図８】
2019130921.tif 000010
【図９】
2019130921.tif 000011
【図１０】
2019130921.tif 000012
【図１１】
2019130921.tif 000013
【図１２】
2019130921.tif 000014
【図１３】
2019130921.tif 000015
【図１４】
2019130921.tif 000016
【図１５】
2019130921.tif 000017
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
複数の色を用いる画像形成、及び単色を用いる画像形成を行う画像形成装置であって、
感光体と、
前記感光体に照射する光の光源と、
前記光源の点灯を制御するための信号である制御信号に基づいて前記光源の点灯を制御する制御手段と、
予め定められた色である第１の色であって、記録媒体の搬送方向である副走査方向における最下流の色に対応する前記制御信号を生成する信号生成手段と、
前記複数の色を用いる画像形成、及び前記第１の色以外の色である第２の色を単色で用いる画像形成を行う場合、前記第１の色に対応する制御信号に基づいたタイミングで前記記録媒体を搬送する搬送手段と、を有する画像形成装置。
【請求項２】
前記第１の色は、ブラックである請求項１に記載の画像形成装置。
【請求項３】
前記制御信号は、前記副走査方向について制御を行うための信号である請求項１又は２に記載の画像形成装置。
【請求項４】
前記搬送手段は、
イエロー、マゼンタ、シアン、及びブラック以外の色で画像形成を行う場合、
前記第１の色に対応する制御信号に基づいて搬送を行う請求項１乃至３のいずれかに記載の画像形成装置。
【請求項５】
前記制御手段は、
前記第２の色を単色で用いる画像形成を行う場合、かつ、前記感光体を前記光源の光が走査する際、
前記第１の色の前記光源にバイアス電流より小さい電流を流す請求項１乃至４のいずれかに記載の画像形成装置。
【請求項６】
前記制御手段は、
同期検出信号の検出を行う際、
画像形成を行う場合の電流で前記第１の色に対応する前記光源を点灯させる制御を行う請求項５に記載の画像形成装置。
【請求項７】
複数の色を用いる画像形成、及び単色を用いる画像形成を行う画像形成装置に行わせる画像形成方法であって、
前記画像形成装置は、
感光体と、
前記感光体に照射する光の光源と、
前記光源の点灯を制御するための信号である制御信号に基づいて前記光源の点灯を制御する制御手段と、を有し、
前記画像形成装置に、
予め定められた色である第１の色であって、記録媒体の搬送方向である副走査方向における最下流の色に対応する前記制御信号を生成させる信号生成手順と、
前記複数の色を用いる画像形成、及び前記第１の色以外の色である第２の色を単色で用いる画像形成を行う場合、前記第１の色に対応する制御信号に基づいたタイミングで前記記録媒体を搬送させる搬送手順と、を行わせる画像形成方法。
【手続補正２】
【補正対象書類名】明細書
【補正対象項目名】０００６
【補正方法】変更
【補正の内容】
【０００６】
一態様における、複数の色を用いる画像形成、及び単色を用いる画像形成を行う画像形成装置であって、感光体と、前記感光体に照射する光の光源と、前記光源の点灯を制御するための信号である制御信号に基づいて前記光源の点灯を制御する制御手段と、予め定められた色である第１の色であって、記録媒体の搬送方向である副走査方向における最下流の色に対応する前記制御信号を生成する信号生成手段と、前記複数の色を用いる画像形成、及び前記第１の色以外の色である第２の色を単色で用いる画像形成を行う場合、前記第１の色に対応する制御信号に基づいたタイミングで前記記録媒体を搬送する搬送手段と、を有することを特徴とする。